(57)【要約】【課題】ＰＣ等を介すことなく、携帯端末との間で画像データの送信および受信の少なくともいずれかを可能にすることができる表示制御装置を提供する。【解決手段】表示制御装置は、画像データを表示装置１５に表示する制御を行なうもので、画像を読み取るイメージセンサ２と、携帯端末２２から送信された画像データを受信する受信機能、及びイメージセンサ２により読み取られた画像データを携帯端末２２に送信する送信機能を有する赤外線通信モジュール１８と、表示装置１５に画像データを出力するビデオ信号発生器９と、を備える。【選択図】図１
2009005079.tif 000002
【特許請求の範囲】
【請求項１】
画像データを表示装置に表示する制御を行なう表示制御装置において、
画像を読み取る読み取り手段と、
携帯端末から送信された画像データを受信する受信機能、及び前記読み取り手段により読み取られた画像データを前記携帯端末に送信する送信機能のうちの少なくとも一方の機能を有する通信手段と、
前記表示装置に前記画像データを出力する出力手段と、を備える
ことを特徴とする表示制御装置。
【請求項２】
前記通信手段は、赤外線通信あるいは無線通信により前記携帯端末との間で通信を行なう、
ことを特徴とする請求項１に記載の表示制御装置。
【請求項３】
前記通信手段は、前記携帯端末から送信された指令を受信する機能を有し、該受信した指令に基づいて前記表示装置の表示を制御する、
ことを特徴とする請求項１または２に記載の表示制御装置。
【請求項４】
前記通信手段の送信機能により送信される画像データを暗号化する暗号化手段および前記通信手段の受信機能により受信した画像データを復号化する復号化手段のうちの少なくとも一方を備える
ことを特徴とする請求項１〜３のいずれか一項に記載の表示制御装置。
【請求項５】
前記通信手段の受信機能により受信した画像データが暗号化されているか否かを判断する判断手段を備え、該判断手段により前記受信した画像データが暗号化されていると判断された場合に、前記復号化手段により前記受信した画像データを復号化する、
ことを特徴とする請求項４に記載の表示制御装置。
【請求項６】
画像データを表示装置に表示する制御を行なうための表示制御方法において、
画像を読み取る読み取りステップと、
携帯端末から送信された画像データを受信する受信処理、及び前記読み取り手段により読み取られた画像データを前記携帯端末に送信する送信処理のうちの少なくとも一方の処理を実行する通信ステップと、
前記表示装置に前記画像データを出力する出力ステップと、を備える
ことを特徴とする表示制御方法。
【請求項７】
前記通信ステップは、赤外線通信あるいは無線通信により前記携帯端末との間で通信を行なう、
ことを特徴とする請求項６に記載の表示制御方法。
【請求項８】
前記通信ステップは、前記携帯端末から送信された指令を受信する処理を実行し、該受信した指令に基づいて前記表示装置の表示を制御する、
ことを特徴とする請求項６または７に記載の表示制御方法。
【請求項９】
前記通信ステップの送信処理により送信される画像データを暗号化する暗号化ステップおよび前記通信ステップの受信処理により受信した画像データを復号化する復号化ステップのうちの少なくとも一方を備える
ことを特徴とする請求項６〜８のいずれか一項に記載の表示制御方法。
【請求項１０】
前記通信ステップの受信処理により受信した画像データが暗号化されているか否かを判断する判断ステップを備え、該判断ステップで前記受信した画像データが暗号化されていると判断された場合に、前記復号化ステップで前記受信した画像データを復号化する、
ことを特徴とする請求項９に記載の表示制御方法。
【請求項１１】
画像データを表示装置に表示する制御を行なうための表示制御プログラムにおいて、
画像を読み取る読み取りステップと、
携帯端末から送信された画像データを受信する受信処理、及び前記読み取り手段により読み取られた画像データを前記携帯端末に送信する送信処理のうちの少なくとも一方の処理を実行する通信ステップと、
前記表示装置に前記画像データを出力する出力ステップと、をコンピュータに実行させることを特徴とする表示制御プログラム。
【発明の詳細な説明】
【技術分野】
【０００１】
本発明は、ＰＣ（パーソナルコンピュータ）等を介さずに読取手段で読み取った画像をプロジェクタ等の表示装置に出力することが可能な表示制御装置、表示制御方法、および表示制御プログラムに関する。
【背景技術】
【０００２】
従来、スライドやオーバーヘッドプロジェクタ（ＯＨＰ）などを用いてプレゼンテーションが行われてきたが、ＰＣの普及とともにＰＣと液晶プロジェクタとの組み合わせによるプレゼンテーションが行われるようになってきている。
【０００３】
この場合でも、印刷物等の補助資料や手書きの資料を使用する要求は高く、これらの資料の読取処理や読取画像の出力を行なえる装置と液晶プロジェクタと組み合わせた表示制御装置が求められている。
【０００４】
この要求に応えるものとして、ＣＣＤなどのエリアイメージセンサを使用したビデオカメラを用いて原稿台に載置された資料等の画像を読み取り、読取画像データをビデオ信号として出力する原稿撮像装置、いわゆる書画カメラがある。
【０００５】
この原稿撮像装置は、図５に示すように、エリアイメージセンサを使用したビデオカメラ３１、原稿を載置する原稿台３２、および原稿台３２に載置された原稿を照らす照明装置３３を備える。
【０００６】
このような原稿撮像装置は、液晶プロジェクタと接続してプレゼンテーションを行う装置やテレビ会議装置に接続して画像入力を行う装置として製品化されている。
【０００７】
また、図６に示すように、リニアイメージセンサを用いた表示制御装置も提案されている（例えば特許文献１参照）。
【０００８】
この表示制御装置３４は、図６に示すように、原稿４３の画像を読み取るレンズ及び原色光源（Ｒ，Ｇ，Ｂ）一体型のリニアイメージセンサ３５、リニアイメージセンサ３５からの画像情報をディジタルデータに変換するＡ／Ｄコンバータ３６、Ａ／Ｄコンバータ３６からのデータを記憶する表示メモリ３７、ビデオ信号発生器３８、装置全体の動作を制御するＣＰＵ３９、ＣＰＵ３９の制御プログラムを格納するＲＯＭ４０、動作方法指定用スイッチ４１、液晶ディスプレイなどの表示装置４２、原稿位置検出器４４は、副走査駆動機構４５、ＵＳＢポートを介して接続される副記憶装置４６を備えている。
【特許文献１】特開２００１−１８６３０２号公報
【発明の開示】
【発明が解決しようとする課題】
【０００９】
ところで、撮像機能が付いた携帯端末が普及し、携帯端末で画像データを扱うことが多くなっている。また、携帯端末の撮像素子の高解像度化に伴い、携帯端末内部の記憶容量も大幅に増えている。
【００１０】
このような背景から、プレゼンテーション等において、携帯端末で撮影した画像データをプロジェクタ等に表示したいという要求や、プレゼンテーションで使用した資料を携帯端末に記録できないかという要求が増えてきている。
【００１１】
しかし、上記特許文献１等に示されている表示制御装置においては、読み取った原稿を出力する以外にはＵＳＢメモリ等の副記憶装置から読み出した画像データを出力するのみであり、上述した要求に応えられない。
【００１２】
また、表示制御装置と副記憶装置との間の通信は、副記憶装置を表示制御装置に直接接続したり、通信ケーブルを介して接続したりするため、手間がかかっていた。
【００１３】
さらに、ＵＳＢメモリのような表示機能の無い副記憶装置の場合、記憶した画像データ等の内容を装置だけで確認することはできない。
【００１４】
そこで、本発明は、このような技術的要請に応えるためになされたものであり、ＰＣ等を介すことなく、携帯端末との間で画像データの送信および受信の少なくともいずれかを可能にすることができる表示制御装置、表示制御方法、および表示制御プログラムを提供することを目的とする。
【課題を解決するための手段】
【００１５】
上記目的を達成するために、請求項１に係る発明は、画像データを表示装置に表示する制御を行なう表示制御装置において、画像を読み取る読み取り手段と、携帯端末から送信された画像データを受信する受信機能、及び前記読み取り手段により読み取られた画像データを前記携帯端末に送信する送信機能のうちの少なくとも一方の機能を有する通信手段と、前記表示装置に前記画像データを出力する出力手段と、を備えることを特徴とする。
【００１６】
請求項２に係る発明は、請求項１において、前記通信手段は、赤外線通信あるいは無線通信により前記携帯端末との間で通信を行なう、ことを特徴とする。
【００１７】
請求項３に係る発明は、請求項１または２において、前記通信手段は、前記携帯端末から送信された指令を受信する機能を有し、該受信した指令に基づいて前記表示装置の表示を制御する、ことを特徴とする。
【００１８】
請求項４に係る発明は、請求項１〜３のいずれか一項において、前記通信手段の送信機能により送信される画像データを暗号化する暗号化手段および前記通信手段の受信機能により受信した画像データを復号化する復号化手段のうちの少なくとも一方を備えることを特徴とする。
【００１９】
請求項５に係る発明は、請求項４において、前記通信手段の受信機能により受信した画像データが暗号化されているか否かを判断する判断手段を備え、該判断手段により前記受信した画像データが暗号化されていると判断された場合に、前記復号化手段により前記受信した画像データを復号化する、ことを特徴とする。
【００２０】
請求項６に係る発明は、画像データを表示装置に表示する制御を行なうための表示制御方法において、画像を読み取る読み取りステップと、携帯端末から送信された画像データを受信する受信処理、及び前記読み取り手段により読み取られた画像データを前記携帯端末に送信する送信処理のうちの少なくとも一方の処理を実行する通信ステップと、前記表示装置に前記画像データを出力する出力ステップと、を備えることを特徴とする。
【００２１】
請求項７に係る発明は、請求項６において、前記通信ステップは、赤外線通信あるいは無線通信により前記携帯端末との間で通信を行なう、ことを特徴とする。
【００２２】
請求項８に係る発明は、請求項６または７において、前記通信ステップは、前記携帯端末から送信された指令を受信する処理を実行し、該受信した指令に基づいて前記表示装置の表示を制御する、ことを特徴とする。
【００２３】
請求項９に係る発明は、請求項６〜８のいずれか一項において、前記通信ステップの送信処理により送信される画像データを暗号化する暗号化ステップおよび前記通信ステップの受信処理により受信した画像データを復号化する復号化ステップのうちの少なくとも一方を備えることを特徴とする。
【００２４】
請求項１０に係る発明は、請求項９において、前記通信ステップの受信処理により受信した画像データが暗号化されているか否かを判断する判断ステップを備え、該判断ステップで前記受信した画像データが暗号化されていると判断された場合に、前記復号化ステップで前記受信した画像データを復号化する、ことを特徴とする。
【００２５】
請求項１１に係る発明は、画像データを表示装置に表示する制御を行なうための表示制御プログラムにおいて、画像を読み取る読み取りステップと、携帯端末から送信された画像データを受信する受信処理、及び前記読み取り手段により読み取られた画像データを前記携帯端末に送信する送信処理のうちの少なくとも一方の処理を実行する通信ステップと、前記表示装置に前記画像データを出力する出力ステップと、をコンピュータに実行させることを特徴とする。
【発明の効果】
【００２６】
本発明によれば、携帯端末から送信された画像データを受信する受信機能、及び前記読み取り手段により読み取られた画像データを前記携帯端末に送信する送信機能のうちの少なくとも一方の機能を有するので、ＰＣ等を介すことなく、携帯端末との間で画像データの送信および受信の少なくともいずれかを可能にすることができる。
【発明を実施するための最良の形態】
【００２７】
以下、本発明の実施の形態の一例を図を参照して説明する。
【００２８】
図１は、本発明の実施の形態の一例である表示制御装置を説明するためのブロック図である。
【００２９】
本実施形態の表示制御装置１は、読み取り手段としてのリニアイメージセンサ２、原稿位置検出器３、副走査駆動機構と原稿給送機構を兼ねた原稿駆動機構４を備える。
【００３０】
リニアイメージセンサ２で読み取られた原稿１６の画像データはＡ／Ｄコンバータ５によってディジタルデータに変換されて、バッファメモリ６に蓄積される。なお、バッファメモリ６は、半導体メモリでもよいが、ハードディスクなどの不揮発性のメモリ装置などを併用してもよい。
【００３１】
バッファメモリ６に蓄積されたデジタル画像データは、表示メモリ８および該表示メモリ８に書き込まれたデータを逐次ビデオ信号に変換して出力するビデオ信号発生器９を介して表示制御装置１に接続された液晶プロジェクタなどの表示装置１５に表示される。
【００３２】
本実施形態では、リニアイメージセンサ２を少なくとも２つ有しており、原稿１６が自動給紙されて各リニアイメージセンサ２を通過することで表裏両面を一度に読み取ることができる。なお、片面印刷原稿などの読み取りにおいても自動的または装置上の操作により片面のみの読み取り処理が可能である。また、リニアイメージセンサ２を１つ（片面のみ）しか持たない装置であってもよい。
【００３３】
また、本実施形態の表示制御装置１は、表示装置情報読み出し器１０、装置全体の動作を制御するＣＰＵ１１、ＣＰＵ１１が使用する制御プログラムや制御データを格納するＲＯＭ１２、表示性能指定用スイッチ１３、動作方法指定用スイッチ１４、および携帯端末２２との間で通信を行なう赤外線通信モジュール１８を備える。
【００３４】
さらに、本実施形態の表示制御装置１には、ＵＳＢケーブル等を介して副記憶装置１７が接続されている。なお、本実施形態では、携帯端末２２は、カメラ等の撮像手段や液晶表示板等の画像の表示手段等を有する携帯電話やＰＤＡなどとするが、これに限定されず、画像データの送受信手段を備えているものであれば、カメラが付随していない携帯端末であってもよい。
【００３５】
図２は、本実施形態の表示制御装置１の外観を示す斜視図であり、図２に示すように、表示制御装置１には、副記憶装置１７を接続するためのＵＳＢポート１９、表示装置１５を接続するためのビデオ出力端子２０、および携帯端末２２との間で通信を行うための赤外線通信部２１が配置されている。
【００３６】
上記構成の表示制御装置１においては、ＣＰＵ１１は制御プログラムが格納されているＲＯＭ１２からプログラムをロードしてイメージセンサ２による原稿１６の画像の読み取り処理や後述する画像データの送受信処理、送信画像データの暗号化処理、受信画像データが暗号化されているか否かの判断、受信画像データが暗号化されている場合の復号化処理等を行なう。
【００３７】
ここで、イメージセンサ２による原稿１６の画像の読み取り処理や後述する画像データの送受信処理の開始指示および送信画像データの暗号化処理を行なうか否かの選択指示は、表示制御装置１の動作方法指定用スイッチ１４或いは不図示の外部リモコン等（以下、操作部という）をユーザが操作することにより行なわれる。
【００３８】
また、操作部においては、表示制御装置１に対して画像データの送信モードを設定するか、又は画像データの受信モードを設定するかを選択操作できるようになっている。
【００３９】
さらに、表示装置１５では、ユーザによる操作部上でのページ操作により、バッファメモリ６に記憶されている画像データが随時表示メモリ８に転送され、ビデオ信号発生器９を介して表示装置１５にページをめくる形で前ページ、次ページの画像が表示される。表示装置１５に表示される画像から携帯端末２２に送信したい画像を操作部で選択することができる。
【００４０】
そして、ユーザによる操作部の操作により読み取り要求が指示されると、ＣＰＵ１１は原稿位置検出器３を介して原稿１６がセットされているか確認し、原稿１６がセットされている場合には、原稿駆動機構４を駆動して原稿１６を副走査方向に移動させながらイメージセンサ２により原稿１６の画像を読み取り処理を実行する。
【００４１】
イメージセンサ２で読み取られた画像データは光電変換され、該光電変換されたアナログの電圧値はＡ／Ｄコンバータ５を介してディジタルデータに変換されて画像データが生成され、生成された画像データは、バッファメモリ６に記憶される。
【００４２】
読み取り要求が一度きた場合には、次の要求を待たずに、原稿１６がセットされている場合には自動的にリニアイメージセンサ２で次の原稿１６を読み取る。この先読み機能により、読み取りの終了している原稿の画像データは、読み取り動作を伴わずに表示装置１５での表示画面の切替えができるためエリアセンサを用いた装置と同等の切替時間を実現できる。
【００４３】
副記憶装置１７は、画像形式ファイルの読み込みと読み取った原稿１６の画像データを保存することができるようになっている。
【００４４】
表示制御装置１と携帯端末２２との間の通信は、赤外線通信部２１から赤外線通信モジュール１８を介して行われる。本実施形態では、携帯電話などで一般的に利用されている赤外線通信を利用して通信を行っているが、各種規格の無線通信手段を利用してもよく、特にブルートゥース（登録商標）などは小型の携帯端末にも容易に搭載できる為好適である。
【００４５】
次に、図３および図４を参照して、表示制御装置１と携帯端末２との間での画像データの送受信処理について説明する。
【００４６】
図３は、表示制御装置１から画像データを携帯端末２２に送信する処理を説明するためのフローチャート図である。
【００４７】
表示制御装置１から画像データを携帯端末２２に送信する場合は、ユーザによる操作部の操作により表示制御装置１に対して画像データの「送信モード」を選択設定する。
【００４８】
次に、操作部を操作してバッファメモリ６に格納されている画像を表示装置１５に表示して送信したい画像を選択する（ステップＳ１０１）。なお、ここでの画像の選択は一つの画像でも複数の画像でもかまわない。
【００４９】
次に、操作部により送信する画像データの暗号化を行うか否を選択する（ステップＳ１０２）。送信する画像データの暗号化を行う場合は、ステップＳ１０３に進み、暗号化を行なわない場合は、ステップＳ１０４に進む。
【００５０】
ステップＳ１０３では、公知の暗号化技術を用いて画像データに対して暗号化処理を行い、ステップＳ１０４に進む。
【００５１】
ステップＳ１０４では、操作部を操作して、表示制御装置１に対して画像データの送信開始を指示し、赤外線通信部２１および赤外線通信モジュール１８を介して携帯端末２２に画像データを送信する。
【００５２】
これにより、表示制御装置１で読み取った原稿１６の画像データを携帯端末２２に転送して携帯端末２２側の記憶領域に保存することができる。また、表示機能付きの携帯端末２２であれば、画像データが暗号化されている場合は復号化した後、画像をディスプレイに表示して自由に閲覧することが可能となる。
【００５３】
図４は、携帯端末２２から送信された画像データを表示制御装置１で受信する処理を説明するためのフローチャート図である。
【００５４】
携帯端末２２から送信された画像データを表示制御装置１で受信する場合は、ユーザによる操作部の操作により表示制御装置１に対して画像データの「受信モード」を選択設定する。
【００５５】
そして、携帯端末２２から赤外線通信機能を介して送信された画像データを赤外線通信部２１および赤外線通信モジュール１８を介して受信すると（ステップＳ２０１）、ステップＳ２０２に進み、携帯端末２２から送信された画像データが暗号化されているか否かを判断する。
【００５６】
なお、携帯端末２２では、送信する画像データを画像表示機能で送信前に確認することができ、この画像データは携帯端末２２の撮像手段で撮影して記録したものでも、他の機器から携帯端末２２に転送された画像データでもかまわない。
【００５７】
ステップＳ２０２で、携帯端末２２から送信された画像データが暗号化されていると判断した場合は、ステップＳ２０３に進み、画像データの復号化処理を行い、ステップＳ２０４で、復号化された画像データをバッファメモリ６に記憶する。
【００５８】
バッファメモリ６に記憶された画像データは操作部の操作により必要に応じて表示メモリ８を経由してビデオ信号発生器９によりビデオ信号としてプロジェクタなどの表示装置１５に出力される。
【００５９】
以上説明したように、本実施形態では、携帯端末２２から送信された画像データを受信する受信機能、及びイメージセンサ２で読み取られた画像データを携帯端末２２に送信する送信機能を有しているので、ＰＣ等を介すことなく、携帯端末２２との間で画像データの送信および受信を可能にすることができ、受信した画像データを表示装置１５に表示することができる。
【００６０】
これにより、プレゼンテーション等において、携帯端末２２で撮影した画像データをプロジェクタ等の表示装置１５に表示したり、プレゼンテーションで使用した資料を携帯端末２２に記録したりすることが可能となる。
【００６１】
なお、本発明は上記実施の形態に例示したものに限定されるものではなく、本発明の要旨を逸脱しない範囲において適宜変更可能である。
【００６２】
例えば、携帯端末２２は、画像データを送信するだけではなく、表示制御装置１のバッファメモリ６に記憶した画像データを表示装置１５に表示した際に、表示制御装置１に対して表示装置１５に表示した画像のページめくりや回転表示、鏡像反転表示、再表示などの動作の指示や入力切替などを指示できるようにしてもよい。
【００６３】
これらの指示は、通常のリモコンの赤外線通信による機器の制御と同様の制御で実現することができ、これらの指示と画像データの送信とを同一の携帯端末で行なうことで、スムーズな操作が可能となる。
【００６４】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００６５】
この場合、記憶媒体から読み出されたプログラムコード自体が前述した実施の形態の機能を実現することになり、そのプログラムコード及び該プログラムコードを記憶した記憶媒体は本発明を構成することになる。
【００６６】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００６７】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００６８】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００６９】
【図１】本発明の実施の形態の一例である表示制御装置を説明するためのブロック図である。
【図２】本発明の実施の形態の一例である表示制御装置の外観を示す斜視図である。
【図３】表示制御装置から画像データを携帯端末に送信する処理を説明するためのフローチャート図である。
【図４】携帯端末から送信された画像データを表示制御装置で受信する処理を説明するためのフローチャート図である。
【図５】従来のエリアイメージセンサを用いた原稿撮像装置を説明するための図である。
【図６】従来のリニアイメージセンサを用いた表示制御装置を説明するためのブロック図である。
【符号の説明】
【００７０】
１      原稿撮像装置
２      リニアイメージセンサ
３      原稿位置検出器
４      原稿駆動機構
５      Ａ／Ｄコンバータ
６      バッファメモリ
８      表示メモリ
９      ビデオ信号発生器
１０    表示装置情報読み出し器
１１    ＣＰＵ
１２    ＲＯＭ
１３    表示性能指定用スイッチ
１４    動作方法指定用スイッチ（操作部）
１５    表示装置
１６    原稿
１７    副記憶装置
１８    赤外線通信モジュール
１９    ＵＳＢポート
２０    ビデオ出力端子
２１    赤外線通信部
２２    携帯端末
【図１】
2009005079.tif 000003
【図２】
2009005079.tif 000004
【図３】
2009005079.tif 000005
【図４】
2009005079.tif 000006
【図５】
2009005079.tif 000007
【図６】
2009005079.tif 000008